(57)【要約】  リッスンビフォアトーク（ＬＢＴ）メカニズムのための方法、システム、デバイス、および装置が説明される。ワイヤレスノード、たとえば、基地局は、クリアチャネルアセスメント（ＣＣＡ）プロシージャを完了することに基づいて、チャネルが利用可能であると決定し得る。ワイヤレスノードは第１の事業者に関連し得る。ワイヤレスノードは、ＣＣＡプロシージャに基づいて、サブフレーム中にチャネル上で第１のメッセージを送信し得る。第１のメッセージは、データ部分に先行するヘッダ部分を含み得る。第１のメッセージは、第１の事業者に関連する第２のワイヤレスノードから送信された第２のメッセージと時間アラインされ得る。【選択図】図３
2018527848.tif 000002
【特許請求の範囲】
【請求項１】
ワイヤレス通信のための方法であって、
第１のワイヤレスノードにおいて、チャネル上で実行されるクリアチャネルアセスメント（ＣＣＡ）プロシージャに少なくとも部分的に基づいて、前記チャネルが利用可能であると決定すること、前記第１のワイヤレスノードは、第１の事業者に関連する、と、
前記決定することに少なくとも部分的に基づいて、サブフレーム中に前記チャネル上で第１のメッセージを送信すること、前記第１のメッセージは、前記第１の事業者に関連する第２のワイヤレスノードから送信された第２のメッセージと前記サブフレーム中で時間アラインされ、前記第１のメッセージと前記第２のメッセージとは、データ部分に先行するヘッダ部分を備える、と
を備える、方法。
【請求項２】
前記第１のメッセージは、前記第１の事業者とは異なる第２の事業者に関連する第３のワイヤレスノードによって送信された第３のメッセージと同期されない、
請求項１に記載の方法。
【請求項３】
ワイヤレスワイドエリアネットワーク（ＷＷＡＮ）通信チャネルを介して、無線フレーム構成情報を前記第２のワイヤレスノードと交換することをさらに備え、前記無線フレーム構成情報は、前記第１のメッセージと前記第２のメッセージとを時間アラインするために使用されるタイミング同期フィールドを備える、
請求項１に記載の方法。
【請求項４】
前記無線フレーム構成情報は、ＣＣＡ構成フィールドをさらに備え、前記ＣＣＡ構成フィールドは、前記第１のワイヤレスノードにおける前記ＣＣＡプロシージャを前記第２のワイヤレスノードにおけるＣＣＡプロシージャと同期させる、
請求項３に記載の方法。
【請求項５】
変調スキームに従って、前記サブフレーム中に送信される前記第１のメッセージを変調することをさらに備える、
請求項１に記載の方法。
【請求項６】
前記第１のメッセージの前記ヘッダ部分は、前記第２のメッセージの前記ヘッダ部分と同じ情報を備える、
請求項１に記載の方法。
【請求項７】
前記第１のメッセージの前記データ部分は、前記第２のメッセージの前記データ部分とは異なる情報を備える、
請求項１に記載の方法。
【請求項８】
前記チャネルが複数のサブバンドを備え、前記第１のメッセージと前記第２のメッセージとが、前記複数のサブバンドの各サブバンドにわたって同期される、
請求項１に記載の方法。
【請求項９】
前記第１のメッセージおよび前記第２のメッセージの前記ヘッダ部分は、Ｗｉ−Ｆｉプリアンブルを備え、前記Ｗｉ−Ｆｉプリアンブルは、Ｗｉ−Ｆｉ固有情報とワイヤレスワイドエリアネットワーク（ＷＷＡＮ）固有情報とを備える、
請求項１に記載の方法。
【請求項１０】
前記Ｗｉ−Ｆｉ固有情報は、前記第１のワイヤレスノード、前記第２のワイヤレスノード、およびＷｉ−Ｆｉ構成されたワイヤレスノードによって復号可能である、
請求項９に記載の方法。
【請求項１１】
前記ＷＷＡＮ固有情報は、Ｗｉ−Ｆｉ構成されたワイヤレスノードによって復号不可能である、
請求項９に記載の方法。
【請求項１２】
前記ＣＣＡプロシージャに続いて複数のサブフレーム中に前記チャネルを介して追加のメッセージを送信することをさらに備え、各追加のメッセージは、前記サブフレーム中の前記ヘッダ部分および前記データ部分を備え、前記ヘッダ部分は、各サブフレーム中で同じである、
請求項１に記載の方法。
【請求項１３】
前記第１のメッセージを送信することより前に、前記チャネル上で送信要求／送信可（ＲＴＳ／ＣＴＳ）プロシージャを実行することをさらに備える、
請求項１に記載の方法。
【請求項１４】
前記第１のメッセージの前記ヘッダ部分中に自己への送信可（ＣＴＳ）フィールドを含めることをさらに備える、
請求項１に記載の方法。
【請求項１５】
Ｗｉ−Ｆｉ構成されたプロトコルを使用して、無認可無線周波数スペクトル帯域上でパイロットトーンを送信することと、
ワイヤレスワイドエリアネットワーク（ＷＷＡＮ）を介して、前記第１の事業者に関連するワイヤレスノードからチャネル状態報告を受信することと
をさらに備える、請求項１に記載の方法。
【請求項１６】
前記パイロットトーンは、前記第１のメッセージの前記ヘッダ部分の後に送信され、前記第１のメッセージの前記データ部分に先行する、
請求項１５に記載の方法。
【請求項１７】
前記ＣＣＡプロシージャ中に第３のワイヤレスノードから送信された干渉するメッセージを検出することと、
前記第３のワイヤレスノードが前記第１の事業者に関連すると決定することと、
前記第３のワイヤレスノードが前記第１の事業者に関連すると決定することに少なくとも部分的に基づいて、前記第１のメッセージを送信することと
をさらに備える、請求項１に記載の方法。
【請求項１８】
前記第３のワイヤレスノードが前記第１の事業者に関連すると決定することは、
前記干渉するメッセージのヘッダ部分を復号することを備える、
請求項１７に記載の方法。
【請求項１９】
前記干渉するメッセージの前記ヘッダ部分の前記復号の失敗を識別することと、
前記識別された失敗に少なくとも部分的に基づいて、前記サブフレーム中に前記第１のメッセージを送信することを控えること、前記控えることは、さらに、前記干渉するメッセージに関連するエネルギーレベルがしきい値レベルを下回ることに少なくとも部分的に基づく、と
をさらに備える、請求項１８に記載の方法。
【請求項２０】
前記ＣＣＡプロシージャ中に第３のワイヤレスノードから送信された干渉するメッセージを検出することと、
前記第３のワイヤレスノードが前記第１の事業者に関連しないと決定することと、
前記第３のワイヤレスノードが前記第１の事業者に関連しないと決定することに少なくとも部分的に基づいて、前記第１のメッセージを送信することを控えることと
をさらに備える、請求項１に記載の方法。
【請求項２１】
前記チャネルが同期ロングタームエボリューション制御Ｗｉ−Ｆｉ（ＬＴＥ−ＣＷ）通信に関連する、
請求項１に記載の方法。
【請求項２２】
前記第１のメッセージおよび前記第２のメッセージの前記ヘッダ部分は、パブリックランドモバイルネットワーク（ＰＬＭＮ）事業者に関連する事業者識別子フィールドを備える、
請求項１に記載の方法。
【請求項２３】
ワイヤレス通信のための装置であって、
第１のワイヤレスノードにおいて、チャネル上で実行されるクリアチャネルアセスメント（ＣＣＡ）プロシージャに少なくとも部分的に基づいて、前記チャネルが利用可能であると決定するための手段、前記第１のワイヤレスノードは、第１の事業者に関連する、と、
前記決定することに少なくとも部分的に基づいて、サブフレーム中に前記チャネル上で第１のメッセージを送信するための手段、前記第１のメッセージは、前記第１の事業者に関連する第２のワイヤレスノードから送信された第２のメッセージと前記サブフレーム中で時間アラインされ、前記第１のメッセージと前記第２のメッセージとは、データ部分に先行するヘッダ部分を備える、と
を備える、装置。
【請求項２４】
前記第１のメッセージは、前記第１の事業者とは異なる第２の事業者に関連する第３のワイヤレスノードによって送信された第３のメッセージと同期されない、
請求項２３に記載の装置。
【請求項２５】
ワイヤレスワイドエリアネットワーク（ＷＷＡＮ）通信チャネルを介して、無線フレーム構成情報を前記第２のワイヤレスノードと交換するための手段をさらに備え、前記無線フレーム構成情報は、前記第１のメッセージと前記第２のメッセージとを時間アラインするために使用されるタイミング同期フィールドを備える、
請求項２３に記載の装置。
【請求項２６】
前記無線フレーム構成情報は、ＣＣＡ構成フィールドをさらに備え、前記ＣＣＡ構成フィールドは、前記第１のワイヤレスノードにおける前記ＣＣＡプロシージャを前記第２のワイヤレスノードにおけるＣＣＡプロシージャと同期させる、
請求項２５に記載の装置。
【請求項２７】
変調スキームに従って、前記サブフレーム中に送信される前記第１のメッセージを変調するための手段をさらに備える、
請求項２３に記載の装置。
【請求項２８】
前記第１のメッセージの前記ヘッダ部分は、前記第２のメッセージの前記ヘッダ部分と同じ情報を備える、
請求項２３に記載の装置。
【請求項２９】
ワイヤレス通信のための装置であって、
プロセッサと、
前記プロセッサと電子通信しているメモリと、
前記メモリに記憶された命令と
を備え、前記命令は、
第１のワイヤレスノードにおいて、チャネル上で実行されるクリアチャネルアセスメント（ＣＣＡ）プロシージャに少なくとも部分的に基づいて、前記チャネルが利用可能であると決定すること、前記第１のワイヤレスノードは、第１の事業者に関連する、と、
前記決定することに少なくとも部分的に基づいて、サブフレーム中に前記チャネル上で第１のメッセージを送信すること、前記第１のメッセージは、前記第１の事業者に関連する第２のワイヤレスノードから送信された第２のメッセージと前記サブフレーム中で時間アラインされ、前記第１のメッセージと前記第２のメッセージとは、データ部分に先行するヘッダ部分を備える、と
を行うために前記プロセッサによって実行可能である、装置。
【請求項３０】
ワイヤレス通信のためのコンピュータ実行可能コードを記憶する非一時的コンピュータ可読媒体であって、前記コードは、
第１のワイヤレスノードにおいて、チャネル上で実行されるクリアチャネルアセスメント（ＣＣＡ）プロシージャに少なくとも部分的に基づいて、前記チャネルが利用可能であると決定すること、前記第１のワイヤレスノードは、第１の事業者に関連する、と、
前記決定することに少なくとも部分的に基づいて、サブフレーム中に前記チャネル上で第１のメッセージを送信すること、前記第１のメッセージは、前記第１の事業者に関連する第２のワイヤレスノードから送信された第２のメッセージと前記サブフレーム中で時間アラインされ、前記第１のメッセージと前記第２のメッセージとは、データ部分に先行するヘッダ部分を備える、と
を行うためにプロセッサによって実行可能である、非一時的コンピュータ可読媒体。
【発明の詳細な説明】
【相互参照】
【０００１】
[0001]本特許出願は、本出願の譲受人に譲渡され、２０１５年９月１７日に出願された「Listen-Before-Talk Mechanism」と題する、Ｌｉらによる米国特許出願第１４／８５７，５８８号の優先権を主張する。
【技術分野】
【０００２】
[0002]本開示は、たとえば、ワイヤレス通信システムに関し、より詳細には、チャネル上での同時送信をサポートするリッスンビフォアトークメカニズムに関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]例として、ワイヤレス多元接続通信システムは、場合によってはユーザ機器（ＵＥ）として知られる、複数の通信デバイスのための通信を各々が同時にサポートする、いくつかの基地局を含み得る。基地局は、（たとえば、基地局からＵＥへの送信のために）ダウンリンクチャネル上でＵＥと通信し、（たとえば、ＵＥから基地局への送信のために）アップリンクチャネル上でＵＥと通信し得る。
【０００５】
[0005]ワイヤレスワイドエリアネットワーク（ＷＷＡＮ）通信の場合、基地局（または別のネットワークエンティティ）は、概して、ダウンリンク通信およびアップリンク通信のためにリソースを協調させる。ワイヤレスノード、たとえば、基地局および／またはＵＥも、通信の前に媒体アクセス制御メカニズムを使用するワイヤレスローカルエリアネットワーク（ＷＬＡＮ）またはＷｉ−Ｆｉ（登録商標）技法を使用して通信し得る。媒体アクセス制御技法、たとえば、クリアチャネルアセスメント（ＣＣＡ：clear channel assessment）または同様のリッスンビフォアトーク（ＬＢＴ：listen-before-talk）メカニズムが、利用可能な媒体を検知するワイヤレスノードのための媒体へのアクセスを与える。
【発明の概要】
【０００６】
[0006]説明される特徴は、概して、同じ事業者に関連するワイヤレスノード間で同期される同時送信をサポートするリッスンビフォアトーク（ＬＢＴ）プロシージャを与える１つまたは複数の改善された方法、システム、またはデバイスに関する。概して、共通事業者に関連するワイヤレスノード、たとえば、基地局は、同時Ｗｉ−Ｆｉ送信のために同期される。たとえば、ワイヤレスノードは、Ｗｉ−Ｆｉ制御される送信、たとえば、ロングタームエボリューション制御Ｗｉ−Ｆｉ（ＬＴＥ（登録商標）−ＣＷ：long term evolution controlled Wi-Fi）送信に関連する、フレームアラインメント、タイミング、および他の無線フレーム構成情報を交換するために、ワイヤレスワイドエリアネットワーク（ＷＷＡＮ）リソースを使用する。同期ワイヤレスノードは、チャネルが利用可能であると決定するために、同じＬＢＴプロシージャ、たとえば、クリアチャネルアセスメント（ＣＣＡ）プロシージャを実行し、次いで、各々、サブフレームアラインドメッセージ（subframe-aligned messages）を他のノードに、たとえば、基地局からユーザ機器（ＵＥ）に送信する。メッセージは、データ部分に先行するヘッダ部分を含む。いくつかの例では、各サブフレーム中で送信されるメッセージは、ヘッダ部分とデータ部分とを含む。ヘッダ部分は、いくつかの例では、ワイヤレスノードが関連する事業者のインジケーション、たとえば、パブリックランドモバイルネットワーク（ＰＬＭＮ：public land mobile network）インジケータを含む。
【０００７】
[0007]いくつかの態様では、同じ事業者に関連するワイヤレスノードは、送信のためのフレームアラインメントを維持するために、ヘッダ部分中に含まれる情報を使用し得る。たとえば、ワイヤレスノードは、それのＬＢＴプロシージャを開始し、干渉する送信、たとえば、ネイバリングデバイスからのＷｉ−Ｆｉ送信を検出し得る。ワイヤレスノードは、ＬＢＴプロシージャを続け、送信デバイスが同じ事業者に関連するかどうかを決定するためにＷｉ−Ｆｉ送信の一部分（たとえば、ヘッダ部分）を復号する。ヘッダ部分が、送信デバイスが同じ事業者に関連することを示す場合、ワイヤレスノードは、それのＬＢＴプロシージャを続け、たとえば、ＬＢＴプロシージャが完了すると、サブフレーム境界においてそれのメッセージを送信する。したがって、ワイヤレスノードは、送信を、干渉する送信と見なすことを控えるために、同じ事業者に関連するワイヤレスノードから送信されたメッセージのヘッダ部分中のＰＬＭＮインジケータを使用する。
【０００８】
[0008]例の第１の例示的なセットでは、ワイヤレス通信のための方法が説明される。本方法は、第１のワイヤレスノードにおいて、チャネル上で実行されるクリアチャネルアセスメント（ＣＣＡ）プロシージャに少なくとも部分的に基づいて、チャネルが利用可能であると決定することと、第１のワイヤレスノードが第１の事業者に関連する、決定することに少なくとも部分的に基づいて、サブフレーム中にチャネル上で第１のメッセージを送信することと、第１のメッセージが、第１の事業者に関連する第２のワイヤレスノードから送信された第２のメッセージとサブフレーム中で時間アラインされ、第１のメッセージと第２のメッセージとが、データ部分に先行するヘッダ部分を備える、を含み得る。
【０００９】
[0009]いくつかの態様では、第１のメッセージは、第１の事業者とは異なる第２の事業者に関連する第３のワイヤレスノードによって送信された第３のメッセージと同期されない。本方法は、ワイヤレスワイドエリアネットワーク（ＷＷＡＮ）通信チャネルを介して、無線フレーム構成情報を第２のワイヤレスノードと交換することを含み得、無線フレーム構成情報は、第１のメッセージと第２のメッセージとを時間アラインするために使用されるタイミング同期フィールドを備える。無線フレーム構成情報はＣＣＡ構成フィールドを含み得、ＣＣＡ構成フィールドは、第１のワイヤレスノードにおけるＣＣＡプロシージャを第２のワイヤレスノードにおけるＣＣＡプロシージャと同期させる。
【００１０】
[0010]いくつかの態様では、本方法は、変調スキームに従って、サブフレーム中に送信される第１のメッセージを変調することを含み得る。第１のメッセージのヘッダ部分は第２のメッセージのヘッダ部分と同じ情報を含み得る。第１のメッセージのデータ部分は第２のメッセージのデータ部分とは異なる情報を含み得る。チャネルは複数のサブバンドを含み得、第１のメッセージと第２のメッセージとは、複数のサブバンドの各サブバンドにわたって同期される。
【００１１】
[0011]いくつかの態様では、第１のメッセージおよび第２のメッセージのヘッダ部分はＷｉ−Ｆｉプリアンブルを含み得、Ｗｉ−Ｆｉプリアンブルは、Ｗｉ−Ｆｉ固有情報とワイヤレスワイドエリアネットワーク（ＷＷＡＮ）固有情報とを備える。Ｗｉ−Ｆｉ固有情報は、第１のワイヤレスノード、第２のワイヤレスノード、およびＷｉ−Ｆｉ構成されたワイヤレスノードによって復号可能である。ＷＷＡＮ固有情報は、Ｗｉ−Ｆｉ構成されたワイヤレスノードによって復号不可能である。本方法は、ＣＣＡプロシージャに続いて複数のサブフレーム中にチャネルを介して追加のメッセージを送信することを含み得、各追加のメッセージは、サブフレーム中のヘッダ部分およびデータ部分を備え、ここにおいて、ヘッダ部分は各サブフレーム中で同じである。
【００１２】
[0012]いくつかの態様では、本方法は、第１のメッセージを送信することより前に、チャネル上で送信要求／送信可（ＲＴＳ／ＣＴＳ：request-to-send/clear-to-send）プロシージャを実行することを含み得る。本方法は、第１のメッセージのヘッダ部分中に自己への送信可（ＣＴＳ：clear-to-send-to-self）フィールドを含めることを含み得る。本方法は、Ｗｉ−Ｆｉ構成されたプロトコルを使用して、無認可無線周波数スペクトル帯域上でパイロットトーンを送信することと、ワイヤレスワイドエリアネットワーク（ＷＷＡＮ）を介して、第１の事業者に関連するワイヤレスノードからチャネル状態報告を受信することとを含み得る。パイロットトーンは、第１のメッセージのヘッダ部分の後に送信され、第１のメッセージのデータ部分に先行する。
【００１３】
[0013]いくつかの態様では、本方法は、ＣＣＡプロシージャ中に第３のワイヤレスノードから送信された干渉するメッセージを検出することと、第３のワイヤレスノードが第１の事業者に関連すると決定することと、第３のワイヤレスノードが第１の事業者に関連すると決定することに少なくとも部分的に基づいて、第１のメッセージを送信することとを含み得る。第３のワイヤレスノードが第１の事業者に関連すると決定することは、干渉するメッセージのヘッダ部分を復号することを含み得る。本方法は、干渉するメッセージのヘッダ部分の復号の失敗を識別することと、識別された失敗に少なくとも部分的に基づいて、サブフレーム中に第１のメッセージを送信することを控えることと、控えることは、さらに、干渉するメッセージに関連するエネルギーレベルがしきい値レベルを下回ることに少なくとも部分的に基づく、を含み得る。
【００１４】
[0014]いくつかの態様では、本方法は、ＣＣＡプロシージャ中に第３のワイヤレスノードから送信された干渉するメッセージを検出することと、第３のワイヤレスノードが第１の事業者に関連しないと決定することと、第３のワイヤレスノードが第１の事業者に関連しないと決定することに少なくとも部分的に基づいて、第１のメッセージを送信することを控えることとを含み得る。チャネルは同期ロングタームエボリューション制御Ｗｉ−Ｆｉ（ＬＴＥ−ＣＷ）通信に関連する。第１のメッセージおよび第２のメッセージのヘッダ部分は、パブリックランドモバイルネットワーク（ＰＬＭＮ）事業者に関連する事業者識別子フィールドを含み得る。
【００１５】
[0015]例の第２の例示的なセットでは、ワイヤレス通信のための装置が説明される。本装置は、プロセッサと、プロセッサと電子通信しているメモリと、メモリに記憶された命令とを含み得る。第１のワイヤレスノードにおいて、チャネル上で実行されるクリアチャネルアセスメント（ＣＣＡ）プロシージャに少なくとも部分的に基づいて、チャネルが利用可能であると決定すること、第１のワイヤレスノードは、第１の事業者に関連する、と、決定することに少なくとも部分的に基づいて、サブフレーム中にチャネル上で第１のメッセージを送信すること、第１のメッセージは、第１の事業者に関連する第２のワイヤレスノードから送信された第２のメッセージとサブフレーム中で時間アラインされ、第１のメッセージと第２のメッセージとが、データ部分に先行するヘッダ部分を備える、とを行うためにプロセッサによって実行可能である命令。
【００１６】
[0016]いくつかの態様では、第１のメッセージは、第１の事業者とは異なる第２の事業者に関連する第３のワイヤレスノードによって送信された第３のメッセージと同期されない。本装置は、ワイヤレスワイドエリアネットワーク（ＷＷＡＮ）通信チャネルを介して、無線フレーム構成情報を第２のワイヤレスノードと交換することを行うためにプロセッサによって実行可能な命令を含み得、無線フレーム構成情報は、第１のメッセージと第２のメッセージとを時間アラインするために使用されるタイミング同期フィールドを備える。無線フレーム構成情報はＣＣＡ構成フィールドを含み得、ＣＣＡ構成フィールドは、第１のワイヤレスノードにおけるＣＣＡプロシージャを第２のワイヤレスノードにおけるＣＣＡプロシージャと同期させる。
【００１７】
[0017]いくつかの態様では、本装置は、変調スキームに従って、サブフレーム中に送信される第１のメッセージを変調することを行うためにプロセッサによって実行可能な命令を含み得る。第１のメッセージのヘッダ部分は第２のメッセージのヘッダ部分と同じ情報を含み得る。
【００１８】
[0018]例の第３の例示的なセットでは、ワイヤレス通信のための装置が説明される。本装置は、第１のワイヤレスノードにおいて、チャネル上で実行されるクリアチャネルアセスメント（ＣＣＡ）プロシージャに少なくとも部分的に基づいて、チャネルが利用可能であると決定するための手段と、第１のワイヤレスノードが第１の事業者に関連する、決定することに少なくとも部分的に基づいて、サブフレーム中にチャネル上で第１のメッセージを送信するための手段、第１のメッセージは、第の事業者に関連する第２のワイヤレスノードから送信された第２のメッセージとサブフレーム中で時間アラインされ、第１のメッセージと第２のメッセージとが、データ部分に先行するヘッダ部分を備える、とを含み得る。
【００１９】
[0019]例の第４の例示的なセットでは、ワイヤレス通信のためのコンピュータ実行可能コードを記憶する非一時的コンピュータ可読媒体が説明される。第１のワイヤレスノードにおいて、チャネル上で実行されるクリアチャネルアセスメント（ＣＣＡ）プロシージャに少なくとも部分的に基づいて、チャネルが利用可能であると決定することと、第１のワイヤレスノードが第１の事業者に関連する、決定することに少なくとも部分的に基づいて、サブフレーム中にチャネル上で第１のメッセージを送信すること、第１のメッセージは、第１の事業者に関連する第２のワイヤレスノードから送信された第２のメッセージとサブフレーム中で時間アラインされ、第１のメッセージと第２のメッセージとは、データ部分に先行するヘッダ部分を備える、とを行うためにプロセッサによって実行可能なコード。
【００２０】
[0020]上記は、以下の発明を実施するための形態がより良く理解され得るように、本開示による例の特徴および技術的利点についてやや広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関連して以下の説明を検討するとより良く理解されよう。図の各々は、例示および説明のみの目的で与えられ、特許請求の範囲の限界を定めるものではない。
【図面の簡単な説明】
【００２１】
[0021]以下の図面を参照することにより、本発明の性質および利点のさらなる理解が得られ得る。添付の図では、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のうちのいずれにも適用可能である。
【図１】本開示の様々な態様による、ワイヤレス通信システムの図。
【図２】本開示の様々な態様による、ワイヤレス通信システムにおける同時送信の一例の図。
【図３】本開示の様々な態様による、ワイヤレス通信システムにおける同時送信の別の例の図。
【図４】本開示の様々な態様による、ワイヤレス通信システムにおける同時送信のために使用される例示的なヘッダの図。
【図５】本開示の様々な態様による、ワイヤレス通信システムにおける同時送信において使用するための例示的な送信スキームの図。
【図６】本開示の様々な態様による、ワイヤレス通信システムにおける同時送信において使用するための別の例示的な送信スキームの図。
【図７】本開示の様々な態様による、ワイヤレス通信において使用するために構成されたデバイスのブロック図。
【図８】本開示の様々な態様による、ワイヤレス通信において使用するために構成されたデバイスのブロック図。
【図９】本開示の様々な態様による、ワイヤレス通信において使用するための基地局（たとえば、ｅＮＢの一部または全部を形成する基地局）のブロック図。
【図１０】本開示の様々な態様による、ワイヤレス通信のための方法の一例を示すフローチャート。
【図１１】本開示の様々な態様による、ワイヤレス通信のための方法の一例を示すフローチャート。
【図１２】本開示の様々な態様による、ワイヤレス通信のための方法の一例を示すフローチャート。
【発明を実施するための形態】
【００２２】
[0034]ロングタームエボリューション（ＬＴＥ）とＷｉ−Ｆｉとは、最先端のモバイルフォンにおいて共存する２つの相補型技術である。Ｗｉ−Ｆｉの有用な性質の１つは、比較的低コストにおいて利用可能な高いピークデータ通信レートであるが、ＬＴＥと比較して短所を有し得る。ＬＴＥ制御Ｗｉ−Ｆｉ（ＬＴＥ−ＣＷ）では、無認可帯域中のＷｉ−Ｆｉリンクの性能およびカバレージを改善するために、ＬＴＥリンクを使用するための認可帯域のロバストネスが活用される。ＬＴＥ−ＣＷでは、低帯域幅ＬＴＥキャリアが、本質的制御プロシージャならびに無認可帯域上のＷｉ−Ｆｉのカバレージエリア／範囲に影響を及ぼす機能を扱うために使用され、データ送信が、関連する高データレート通信を利用するためにＷｉ−Ｆｉリンクを介して送られる。
【００２３】
[0035]本明細書の態様によれば、ワイヤレスノード、たとえば、ＬＴＥ−ＣＷ通信のために構成された基地局が、同じ事業者、たとえば、パブリックランドモバイルネットワーク（ＰＬＭＮ）事業者に関連する基地局にわたって同期される同時送信に関与する。同じ事業者に関連する基地局は、同期を確立および維持するために、ワイヤレスワイドエリアネットワーク（ＷＷＡＮ）、たとえば、セルラー無線アクセス技術通信を使用して、様々な無線フレーム構成情報を交換する。基地局は、チャネルが利用可能であることを保証するために、同じクリアチャネルアセスメント（ＣＣＡ）、または同様のリッスンビフォアトーク（ＬＢＴ）プロシージャを実行する。基地局は、サブフレーム中でアラインされたチャネル上でダウンリンクメッセージを送信する。基地局は、メッセージ中で、データ部分の前にヘッダ部分を含める。いくつかの態様では、ヘッダ部分は、基地局がそれに関連する事業者のインジケーション（たとえば、ＰＬＭＮインジケータフィールド）を含む。
【００２４】
[0036]いくつかの態様では、基地局は、干渉する送信を受けたとき、メッセージ送信同期を維持するためにＰＬＭＮインジケータフィールドを使用し得る。たとえば、基地局は、ＣＣＡプロシージャ中に、干渉する送信を検出し得る。干渉する送信は、ワイヤレスローカルエリアネットワーク（ＷＬＡＮ）デバイスから発信したＷｉ−Ｆｉ送信であり得る。基地局は、したがって、チャネルが利用可能でないと決定し、それのメッセージ送信を開始することを控える。基地局は、チャネルが利用可能であるかどうかを決定するために、以下のサブフレームにおいてそれのＣＣＡプロシージャを続ける（または、第２のＣＣＡプロシージャを開始する）。次のサブフレームまでに、干渉する送信は終了していることがあるが、基地局は、依然として、同じ事業者に関連する他の基地局から発生するメッセージ送信を検出し得る。基地局は、メッセージ送信が、たとえば、同じ事業者に関連する共通事業者基地局からのものであると決定するために、送信されたメッセージのヘッダ部分を復号し得る。共通事業者基地局に基づいて、基地局は、メッセージ送信が、干渉する送信でないと決定し、次のサブフレームの境界においてそれのメッセージを送信し始め得る。それのメッセージは、サブフレーム中のデータ部分に先行するヘッダ部分をも含み得る。
【００２５】
[0037]他の態様は、メッセージのヘッダ部分を送信することより前に送信要求／送信可（ＲＴＳ／ＣＴＳ）プロシージャを実行する基地局を含み得る。ＣＴＳは、自己宛てＣＴＳメッセージ、たとえば、送信基地局に宛てられたＣＴＳメッセージであり得る。さらなる態様は、メッセージ中のパイロット信号送信を与える。たとえば、基地局は、チャネル品質情報（ＣＱＩ）を報告するために、（１つまたは複数の）受信デバイスのために無認可帯域中でパイロット信号を送信し得る。追加の態様は、Ｗｉ−Ｆｉ適合プリアンブルを含めるためのヘッダ部分を与える。プリアンブルは、Ｗｉ−ＦｉデバイスおよびＬＴＥ−ＣＷデバイスによって復号され、解釈され得るＷｉ−Ｆｉ固有情報と、ＬＴＥ−ＣＷデバイスによってのみ解釈され得るＬＴＥ−ＣＷ固有情報とを含み得る。いくつかの例では、送信されたメッセージのヘッダ部分は、ＬＴＥ−ＣＷ通信に関与するすべての基地局にわたって同じであり、同じ事業者に関連する。
【００２６】
[0038]以下の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。たとえば、説明される方法は、説明される順序とは異なる順序で実行され得、様々なステップが追加、省略、または組み合わせられ得る。また、いくつかの例に関して説明される特徴は、他の例において組み合わせられ得る。
【００２７】
[0039]図１は、本開示の様々な態様による、ワイヤレス通信システム１００の一例を示す。ワイヤレス通信システム１００は、基地局１０５と、ＵＥ１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して、直接または間接的にのいずれかで（たとえば、コアネットワーク１３０を通して）、互いと通信し得る。
【００２８】
[0040]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロセル基地局および／またはスモールセル基地局）を含み得る。異なる技術のための重複する地理的カバレージエリア１１０があり得る。
【００２９】
[0041]いくつかの例では、ワイヤレス通信システム１００はＬＴＥ／ＬＴＥ−Ａネットワークである。ＬＴＥ／ＬＴＥ−Ａネットワークでは、発展型ノードＢ（ｅＮＢ）という用語は、概して、基地局１０５を表すために使用され得、ＵＥという用語は、概して、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、および／または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る３ＧＰＰ（登録商標）用語である。
【００３０】
[0042]マクロセルは、概して、比較的大きい地理的エリア（たとえば、半径数キロメートル）をカバーし、ネットワークプロバイダのサービスに加入しているＵＥによる無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセルと、フェムトセルと、マイクロセルとを含み得る。ピコセルは、比較的小さい地理的エリアをカバーし得、ネットワークプロバイダのサービスに加入しているＵＥによる無制限アクセスを可能にし得る。また、フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００３１】
[0043]ワイヤレス通信システム１００は、同期動作または非同期動作をサポートし得る。同期動作の場合、基地局は同様のフレームタイミングを有し得、異なる基地局からの送信は近似的に時間的にアラインされ得る。非同期動作の場合、基地局は異なるフレームタイミングを有し得、異なる基地局からの送信は時間的にアラインされないことがある。本明細書で説明される技法は、同期動作または非同期動作のいずれかのために使用され得る。
【００３２】
[0044]様々な開示される例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ）レイヤが、論理チャネルを介して通信するためにパケットセグメンテーションおよびリアセンブリを実行し得る。媒体アクセス制御（ＭＡＣ）レイヤが、優先度処理と、トランスポートチャネルへの論理チャネルの多重化とを実行し得る。ＭＡＣレイヤはまた、リンク効率を改善するために、ＭＡＣレイヤにおける再送信を行うためにハイブリッドＡＲＱ（ＨＡＲＱ）を使用し得る。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と維持とを行い得る。物理（ＰＨＹ）レイヤにおいて、トランスポートチャネルは物理チャネルにマッピングされ得る。
【００３３】
[0045]ＵＥ１１５はワイヤレス通信システム１００全体にわたって分散され、各ＵＥ１１５はステイショナリまたはモバイルであり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語を含むか、あるいはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む、様々なタイプの基地局およびネットワーク機器と通信することが可能であり得る。
【００３４】
[0046]ワイヤレス通信システム１００に示されている通信リンク１２５は、ＵＥ１１５から基地局１０５へのアップリンク（ＵＬ）送信、および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。各通信リンク１２５は１つまたは複数のキャリアを含み得、ここで、各キャリアは、上記で説明された様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、（たとえば、対スペクトルリソースを使用する）ＦＤＤ動作または（たとえば、不対スペクトルリソースを使用する）ＴＤＤ動作を使用して、双方向通信を送信し得る。ＦＤＤのためのフレーム構造（たとえば、フレーム構造タイプ１）とＴＤＤのためのフレーム構造（たとえば、フレーム構造タイプ２）とが定義され得る。
【００３５】
[0047]システム１００のいくつかの実施形態では、基地局１０５および／またはＵＥ１１５は、基地局１０５とＵＥ１１５との間の通信品質と信頼性とを改善するために、アンテナダイバーシティスキームを採用するために複数のアンテナを含み得る。追加または代替として、基地局１０５および／またはＵＥ１１５は、同じまたは異なるコード化データを搬送する複数の空間レイヤを送信するために、マルチパス環境を利用し得る多入力多出力（ＭＩＭＯ）技法を採用し得る。
【００３６】
[0048]ワイヤレス通信システム１００は、複数のセルまたはキャリア上での動作、すなわち、キャリアアグリゲーション（ＣＡ）またはマルチキャリア動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることがある。ＵＥ１１５は、キャリアアグリゲーションのために、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００３７】
[0049]ワイヤレス通信システム１００は、ＬＴＥ−ＣＷ通信をサポートし得る。ＬＴＥ−ＣＷは、概して、同期システムであり、それのフレーム構造は、たとえば、それぞれ１ミリ秒の１０個のサブフレームからなる１０ミリ秒のスーパーフレームを使用する、ＬＴＥ−ＴＤＤシステムと同様である。ＬＴＥ−ＣＷシステムでは、ＬＴＥ−ＣＷ基地局（たとえば、基地局１０５）は、同時メッセージ送信を実行し得る。たとえば、基地局１０５は、チャネルが利用可能であるかどうかを決定するために、ＣＣＡプロシージャを実行し得る。ＣＣＡプロシージャは、同じ事業者に関連するすべての基地局１０５について同じであり得、たとえば、時間同期され得る、共通バックオフパラメータを使用し得る、などである。基地局１０５は、次いで、同じ事業者に関連する他の基地局１０５から送信されたメッセージと時間アラインされたサブフレーム中でメッセージを送信し得る。同じ事業者に関連する基地局１０５からのメッセージ送信は、サブフレーム中でアラインされ、データ部分に先行するヘッダ部分を含む。ヘッダ部分は、共通事業者のインジケーション、たとえば、ＰＬＭＮインジケータを含み得る。メッセージは、ＬＴＥ−ＣＷ通信プロトコルを使用して送信され得る。
【００３８】
[0050]図２は、本開示の様々な態様による、ワイヤレス通信システムにおける同時メッセージ送信の一例を示す図２００である。図２００は、図１を参照しながら説明されたワイヤレス通信システム１００の態様を示し得る。図２００は、チャネルを介した同時送信構成された、基地局１０５−ａおよび基地局１０５−ｂとして示される、２つのワイヤレスノードを含む。基地局１０５−ａおよび／または１０５−ｂは、ＬＴＥ−ＣＷ通信のために構成され得る。基地局１０５−ａおよび／または１０５−ｂは、図１を参照しながら説明された基地局１０５の例であり得る。いくつかの例では、基地局１０５のうちの１つなどのシステムデバイスが、以下で説明される機能の一部または全部を実行するようにデバイスの機能要素を制御するためのコードの１つまたは複数のセットを実行し得る。
【００３９】
[0051]概して、図２００は、サブフレーム０〜２中に行われる同時送信を示す。サブフレーム０は、２０２から２０４の間の期間にわたり、サブフレーム１は、２０４から２０６の間の期間にわたり、サブフレーム２は、２０６から２０８の間の期間にわたる。図２００は、３つのサブフレーム中に行われる同時送信の一例を示すが、説明される技法は、３つのサブフレームに限定されず、代わりに、３つよりも少数のサブフレームまたは４つ以上のサブフレームにわたって行われ得ることを理解されたい。
【００４０】
[0052]基地局１０５−ａおよび１０５−ｂは、共通事業者、たとえば、共通ＰＬＭＮサービスプロバイダに関連し得る。基地局１０５−ａおよび１０５−ｂは、ＬＴＥ−ＣＷ通信のためのタイミングおよび／またはフレームアラインメント情報、ＣＣＡプロシージャパラメータなど（１つまたは複数の）ＷＷＡＮキャリアを介して様々なフレーム構成情報を交換し得る。フレーム構成情報は、チャネルを介した同時ＬＴＥ−ＣＷ送信を実行するために、基地局１０５−ａおよび１０５−ｂによって使用され得る。たとえば、基地局１０５−ａおよび基地局１０５−ｂは、それぞれ、チャネル上で、それぞれ、ＣＣＡプロシージャ２１０およびＣＣＡプロシージャ２１２を実行し得る。ＣＣＡプロシージャ２１０とＣＣＡプロシージャ２１２とは、同じであり得、たとえば、同じパラメータ、開始時間、停止時間などを利用し得る。基地局１０５−ａおよび基地局１０５−ｂは、それぞれ、ＣＣＡプロシージャ２１０およびＣＣＡプロシージャ２１２に基づいて、チャネルが送信のために利用可能であるかまたは場合によっては空いていると決定する。たとえば、ＣＣＡプロシージャ２１０および２１２は、エネルギーがチャネル上で検出されなかったかまたは少なくとも、しきい値を上回るエネルギーが検出されなかったことを示し得る。
【００４１】
[0053]ＣＣＡプロシージャのいくつかの例では、基地局１０５（たとえば、基地局１０５−ａおよび／または基地局１０５−ｂ）は、サブフレーム中に媒体中のチャネルエネルギーを測定し得る。基地局１０５が送信を検出した場合、基地局１０５は、（たとえば、送信がＷｉ−Ｆｉ送信であるかどうかを決定するために）送信の物理レイヤコンバージェンスプロトコル（ＰＬＣＰ）ヘッダ部分を復号することを試みる。基地局１０５は、検出されたエネルギーレベルが所定のしきい値（たとえば、−６２ｄＢｍ）よりも大きい場合、およびＰＬＣＰヘッダ部分を復号することに失敗した場合、チャネルがサブフレーム中でビジーであると決定し得る。基地局１０５は、復号プロセスが成功した場合、およびＰＬＣＰヘッダ部分が、送信が異なる事業者に関連するワイヤレスノードからのものであることを示す場合、チャネルがサブフレーム中でビジーであると決定し得る。基地局１０５は、復号プロセスが成功した場合、およびＰＬＣＰヘッダ部分が、送信が同じ事業者に関連するワイヤレスノードからのものであることを示す場合、チャネルがサブフレーム中で利用可能であると決定し得る。
【００４２】
[0054]基地局１０５−ａおよび基地局１０５−ｂは、チャネル上で、それぞれ、メッセージのヘッダ部分２１４およびヘッダ部分２１６を送信する。ヘッダ部分２１４およびヘッダ部分２１６の後に、それぞれ、基地局１０５−ａおよび基地局１０５−ｂによって送信されているメッセージのデータ部分２１８およびデータ部分２２０が続く。（ヘッダ部分２１４およびヘッダ部分２１６ならびにデータ部分２１８およびデータ部分２２０を含む）メッセージは、同じチャネル（ＣＣＡプロシージャ２１０およびＣＣＡプロシージャ２１２によってクリアされるチャネル）上で送信され、フレーム構成情報を使用して時間同期される。サブフレーム２中に、基地局１０５−ａおよび基地局１０５−ｂは、再び、それぞれ、データ部分２２６およびデータ部分２２８に先行するヘッダ部分２２２およびヘッダ部分２２４を備えるメッセージを同時に送信する。したがって、基地局１０５−ａおよび基地局１０５−ｂは、ＣＣＡプロシージャ２１０およびＣＣＡプロシージャ２１２に続いて、チャネル上でメッセージを同時に送信し得る。
【００４３】
[0055]いくつかの態様では、送信されたメッセージのヘッダ部分（たとえば、ヘッダ部分２１４、２１６、２２２、および／または２２４）は、共通事業者のインジケーション、たとえば、ＰＬＭＮインジケータを含み得る。ＰＬＭＮインジケータは、他の基地局が、基地局１０５−ａおよび基地局１０５−ｂがどの事業者に関連するかを決定するための手段を与える。ヘッダ部分は、いくつかの例では、共通事業者に関連するすべての基地局１０５について、同じである、および／または同様の情報を含み得る。
【００４４】
[0056]以下でより大きい説明されるように、いくつかの態様では、ヘッダ部分は、先行され得、および／またはＲＴＳ／ＣＴＳプロシージャ、パイロット信号送信およびＣＱＩ報告などの態様を含む。さらに、ヘッダ部分は、Ｗｉ−Ｆｉ固有情報とＬＴＥ−ＣＷ固有情報とを含み得る。
【００４５】
[0057]図３は、本開示の様々な態様による、ワイヤレス通信システムにおける同時メッセージ送信の一例を示す図３００である。図３００は、図１および図２を参照しながら説明されたワイヤレス通信システム１００および／または図２００の態様を示し得る。図３００は、チャネルを介した同時送信構成された、基地局１０５−ｃおよび基地局１０５−ｄとして示される、２つのワイヤレスノードを含む。基地局１０５−ｃおよび／または１０５−ｄは、ＬＴＥ−ＣＷ通信のために構成され得る。基地局１０５−ｃおよび／または１０５−ｄは、図１および図２を参照しながら説明された基地局１０５の例であり得る。いくつかの例では、基地局１０５のうちの１つなどのシステムデバイスが、以下で説明される機能の一部または全部を実行するようにデバイスの機能要素を制御するためのコードの１つまたは複数のセットを実行し得る。
【００４６】
[0058]図２００と同様に、図３００は、それぞれ、３０２〜３０４、３０４〜３０６、および３０６〜３０８間の期間にわたるサブフレーム０〜２中に行われる同時送信を示す。図３００は、３つのサブフレームに限定されず、より多いまたはより少ないサブフレームを含み得る。概して、図３００は、同時送信のためのアラインメントを維持するために、送信されたメッセージのヘッダ部分中に含まれる情報を使用する基地局１０５−ｄの態様を示す。
【００４７】
[0059]基地局１０５−ｃおよび１０５−ｄは、共通事業者、たとえば、共通ＰＬＭＮサービスプロバイダに関連し得る。基地局１０５−ｃおよび１０５−ｄは、ＬＴＥ−ＣＷ通信のためのタイミングおよび／またはフレームアラインメント情報、ＣＣＡプロシージャパラメータなど（１つまたは複数の）ＷＷＡＮキャリアを介して様々なフレーム構成情報を交換し得る。フレーム構成情報は、チャネルを介した同時ＬＴＥ−ＣＷ送信を実行するために、基地局１０５−ｃおよび基地局１０５−ｄによって使用され得る。たとえば、基地局１０５−ｃおよび基地局１０５−ｂは、それぞれ、チャネル上で、それぞれ、ＣＣＡプロシージャ３１０およびＣＣＡプロシージャ３１２を開始し得る。ただし、基地局１０５−ｄは、別のデバイスから発生する干渉する送信３１４、たとえば、ネイバリングデバイスからのＷｉ−Ｆｉ送信を検出し得る。基地局１０５−ｄのためのＣＣＡプロシージャ３１２のためのカウントダウンプロセスが、干渉する送信３１４のために停止される。しかしながら、基地局１０５−ｃは、それのＣＣＡプロシージャ３１０のためのカウントダウンプロセスが継続する、干渉する送信３１４からの十分な距離に配置され得る。ＣＣＡプロシージャ３１０が完了した後、基地局１０５−ｃは、したがって、チャネル上でそれのメッセージ送信を開始する。メッセージは、ヘッダ部分３１６と、その後に続くデータ部分３１８とを含む。
【００４８】
[0060]干渉する送信３１４が終了したとき、チャネルは、基地局１０５−ｃからのメッセージ送信によって引き起こされる干渉３２０によりビジーのままである。しかしながら、サブフレーム２中に、基地局１０５−ｄは別のＣＣＡプロシージャ３２２を開始する。ＣＣＡプロシージャ３２２中に、基地局１０５−ｄは、基地局１０５−ｃによって送信されたメッセージのヘッダ部分３２８を復号する。ヘッダ部分３２８は、基地局１０５−ｄが、送信を共通事業者に関連する基地局からのものであるとして識別するために使用する、ＰＬＭＮインジケータフィールドを含む。たとえば、基地局１０５−ｄは、検出されたエネルギーに基づいてチャネルがさもなければビジーであると見なされるであろうにもかかわらず、基地局１０５−ｃからの送信を無視し得る。したがって、基地局１０５−ｄは、それのＣＣＡプロシージャ３２２を完了し、データ部分３２６に先行するヘッダ部分３２４を含むメッセージ送信をチャネル上で開始する。したがって、基地局１０５−ｄは、それのＣＣＡプロシージャ３２２が完了すると、サブフレーム２中に、チャネル上で同時メッセージ送信のために基地局１０５−ｃとジョイント（joint）することになる。メッセージ送信はＬＴＥ−ＣＷ送信であり得る。
【００４９】
[0061]図４は、本開示の様々な態様による、ワイヤレス通信システムにおける同時送信のために使用される例示的なヘッダ４０５の図４００を示す。図４００の態様は、図１〜図３を参照しながら説明された基地局１０５など、ワイヤレスノードによって実装され得る。いくつかの例では、基地局１０５のうちの１つなどのシステムデバイスが、ヘッダ４０５に関して以下で説明される機能の一部または全部を実行するようにデバイスの機能要素を制御するためのコードの１つまたは複数のセットを実行し得る。
【００５０】
[0062]前に説明されたように、共通事業者に関連する基地局１０５は、チャネル上で同時メッセージ送信を実行し得、メッセージは、データ部分に先行するヘッダ部分を含み得る。概して、ヘッダ４０５はヘッダ部分の一例を示す。ヘッダ４０５は、ＣＣＡプロシージャが完了すると、チャネル上で送信され得る。ヘッダ４０５は、サブフレーム境界において送信され得る。いくつかの態様では、共通事業者に関連する各基地局１０５は、ヘッダ４０５中で同じまたは実質的に同様の情報を送り得る。共通事業者に関連する基地局１０５の各々は、サブフレーム境界においてヘッダ４０５を送信し得る。
【００５１】
[0063]ヘッダ４０５は、レガシーショートトレーニングフィールド（Ｌ−ＳＴＦ）４１０と、レガシーロングトレーニングフィールド（Ｌ−ＬＴＦ）４１５と、レガシー信号フィールド（Ｌ−ＳＩＧ）４２０と、ＬＴＥ−ＣＷフィールド４２５とを含み得る。概して、Ｌ−ＳＴＦ４１０、Ｌ−ＬＴＦ４１５、およびＬ−ＳＩＧ４２０は、ヘッダのＷｉ−Ｆｉプリアンブル部分を集合的に備え得、ＬＴＥ−ＣＷフィールド４２５は、ヘッダのＬＴＥ−ＣＷ固有部分を備え得る。Ｗｉ−Ｆｉプリアンブル部分は、Ｗｉ−Ｆｉ通信のために構成された任意のデバイスによって復号および解釈され得る。ＬＴＥ−ＣＷ固有部分は、任意のデバイスによって復号され得るが、ＬＴＥ−ＣＷ通信のために構成されたデバイスによって解釈され得る。
【００５２】
[0064]Ｌ−ＳＴＦ４１０は、概して、長さが２つのシンボルであり得るショートトレーニングフィールドを与え、たとえば、レガシーワイヤレスデバイスのために、後方互換性のために送信され得る。Ｌ−ＬＴＦ４１５は、同じく２シンボル長であり得るレガシーロングトレーニングフィールドである。Ｌ−ＳＩＧ４２０は、１シンボル長であり得、同じく後方互換性のために送信され得る。
【００５３】
[0065]ＬＴＥ−ＣＷフィールド４２５は、いくつかの例では、超高スループット信号Ａフィールド（ＶＨＴ−ＳＩＧ−Ａ）であり得る。ＬＴＥ−ＣＷフィールド４２５は、８０２．１１ａｃ規格に準拠し得る。ＬＴＥ−ＣＷフィールド４２５は、概して、たとえば、時間に応じてメッセージのデータ部分の長さを識別する、持続時間インジケータ（たとえば、ネットワーク割振りベクトル（ＮＡＶ））を含み得る。いくつかの例では、３ビット長であり得、基地局１０５がそれに関連するＰＬＭＮ事業者またはサービスプロバイダのインジケーションを伝達する、ＰＬＭＮインジケータを含み得る。ＰＬＭＮインジケータは、他のデバイスによって復号可能であり得るが、ＬＴＥ−ＣＷ通信のために構成されたデバイスによってのみ理解され得る。ＬＴＥ−ＣＷフィールド４２５はまた、概して、無線フレーム中のダウンリンク／アップリンク比に関係する情報を与える、拡張トラフィックフォーマットインジケータチャネル（ｅＴＦＩＣＨ）を含み得る。いくつかの例では、ＬＴＥ−ＣＷフィールド４２５のＰＬＭＮインジケータおよびｅＴＦＩＣＨ部分は、ＬＴＥ−ＣＷ通信のために構成されたデバイスのみによって理解され得る。概して、ＬＴＥ−ＣＷフィールド４２５のＰＬＭＮインジケータおよびｅＴＦＩＣＨ部分は、同じまたは共通の事業者に関連するすべての基地局１０５について同じである。マルチバンド構成では、ヘッダ４０５は、帯域の各々中で繰り返され得る。
【００５４】
[0066]図５は、本開示の様々な態様による、ワイヤレス通信システムにおける同時送信のために使用される例示的なメッセージフォーマットの図５００を示す。図５００の態様は、図１〜図３を参照しながら説明された基地局１０５など、ワイヤレスノードによって実装され得る。いくつかの例では、基地局１０５のうちの１つなどのシステムデバイスが、例示的なメッセージフォーマットに関して以下で説明される機能の一部または全部を実行するようにデバイスの機能要素を制御するためのコードの１つまたは複数のセットを実行し得る。
【００５５】
[0067]前に説明されたように、共通事業者に関連する基地局１０５は、チャネル上で同時メッセージ送信を実行し得、メッセージは、データ部分に先行するヘッダ部分を含み得る。例示的な図５００では、基地局１０５は、メッセージのヘッダ部分を送信することより前に、ＲＴＣ／ＣＴＳプロシージャを実行し得る。
【００５６】
[0068]たとえば、基地局１０５は、ＲＴＳメッセージ５０５を送信し得、次いで、アイドル期間５１０中、ＣＴＳメッセージを受信するために待つ。ＣＴＳメッセージを受信すると、基地局１０５は、ヘッダ５１５と、その後に続くデータ５２０とを送信し得る。概して、基地局１０５は、ヘッダ５１５を送信することより前にＲＴＳ／ＣＴＳフレーム交換を開始し得る。別のワイヤレスデバイス、たとえば、ＵＥ１１５は、ＲＴＳを受信し、たとえば、異なる事業者および／または他のＷｉ−Ｆｉノードに関連する基地局１０５など、別のネットワーク中のノードから送信されているフレームがあるかどうかを決定し得る。ＵＥ１１５がどんなフレーム送信も検出しない場合、ＵＥ１１５は、基地局１０５にＣＴＳメッセージを送信する。したがって、ＵＥ１１５は、チャネルがＬＴＥ−ＣＷメッセージ送信のために利用可能であるという追加のインジケーションを与え得る。
【００５７】
[0069]いくつかの例では、基地局１０５は、ヘッダ５１５中に自己宛てであるＣＴＳフレームを含め得る。このＣＴＳ−ｔｏ−ｓｅｌｆ送信は、図４を参照しながら説明されたヘッダ４０５のＬＴＥ−ＣＷ固有部分中に含まれ得る。
【００５８】
[0070]図６は、本開示の様々な態様による、ワイヤレス通信システムにおいて同時送信のために使用される例示的なメッセージフォーマットの図６００を示す。図６００の態様は、図１〜図３を参照しながら説明された基地局１０５など、ワイヤレスノードによって実装され得る。いくつかの例では、基地局１０５のうちの１つなどのシステムデバイスが、例示的なメッセージフォーマットに関して以下で説明される機能の一部または全部を実行するようにデバイスの機能要素を制御するためのコードの１つまたは複数のセットを実行し得る。
【００５９】
[0071]前に説明されたように、共通事業者に関連する基地局１０５は、チャネル上で同時メッセージ送信を実行し得、メッセージは、データ部分に先行するヘッダ部分を含み得る。例示的な図６００では、基地局１０５は、メッセージのヘッダ６０５部分の後およびデータ６１５部分の前に、パイロット信号６１０の送信を含み得る。
【００６０】
[0072]たとえば、パイロット信号６１０は、図４を参照しながら説明された、それぞれ、Ｌ−ＳＴＦ４１０、Ｌ−ＬＴＦ４１５、およびＬ−ＳＩＧ４２０の例であり得る、Ｌ−ＳＴＦ６２０と、Ｌ−ＬＴＦ５２６と、Ｌ−ＳＩＧ  ６３０とを含み得る。パイロット信号６１０はまた、基地局１０５に固有のシーケンスを用いてスクランブルされたデータを含むＬＴＥ−ＣＷ固有部分６３５を含み得る。
【００６１】
[0073]いくつかの例では、パイロット信号６１０は、ＣＣＡプロシージャによってクリアされたチャネル上で送信されないことがあるが、代わりに、無認可周波数スペクトル帯域中のチャネル上で送信され得る。基地局１０５は、ＬＴＥ−ＣＷ通信に構成されたＵＥ１１５がチャネル状態を測定および報告することを要求するために、無認可帯域中でパイロット信号６１０を送信し得る。ＵＥ１１５は、パイロット信号６１０を受信し、基地局１０５にＣＱＩ報告を送信し得る。ＣＱＩ報告は、ＷＷＡＮチャネルを介して送信され得る。
【００６２】
[0074]図７は、本開示の様々な態様による、ワイヤレス通信において使用するためのデバイス７０５のブロック図７００を示す。デバイス７０５は、図１〜図６を参照しながら説明された基地局１０５など、ワイヤレスノードの１つまたは複数の態様の一例であり得る。デバイス７０５は、受信機７１０、リッスンビフォアトーク（ＬＢＴ）マネージャ７１５、および／または送信機７２０を含み得る。デバイス７０５はまた、プロセッサ（図示せず）であるか、またはプロセッサを含み得る。これらのモジュールの各々は互いと通信していることがある。
【００６３】
[0075]デバイス７０５の構成要素は、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各構成要素の機能はまた、全体的にまたは部分的に、１つまたは複数の汎用または特定用途向けプロセッサによって実行されるようにフォーマットされた、メモリ中に組み込まれた命令を用いて実装され得る。
【００６４】
[0076]受信機７１０は、パケット、ユーザデータ、および／または様々な情報チャネル（たとえば、制御チャネル、データチャネルなど）に関連する制御情報などの情報を受信し得る。受信機７１０は、チャネル上での同時送信をサポートすることに関係する様々なフレームを受信するように構成され得る。情報は、ＬＢＴマネージャ７１５に、およびデバイス７０５の他の構成要素に受け渡され得る。
【００６５】
[0077]ＬＢＴマネージャ７１５は、デバイス７０５のためのチャネル上での同時送信をサポートするためのＬＢＴプロシージャの態様をモニタし、制御し、それのための手段を提供し、または場合によっては管理し得る。たとえば、ＬＢＴマネージャ７１５は、チャネル上で実行されるＣＣＡプロシージャに基づいて、チャネルが利用可能であると決定し得る。デバイス７０５は、第１の事業者、たとえば、共通事業者またはＰＬＭＮに関連し得る。ＬＢＴマネージャ７１５は、サブフレーム中にチャネル上で第１のメッセージを送信し得る。第１のメッセージは、同じ事業者に関連する第２のワイヤレスノード（たとえば、第２のデバイス７０５）から送信された第２のメッセージとサブフレーム中で時間アラインされ得る。第１のメッセージおよび／または第２のメッセージは、データ部分に先行するヘッダ部分を含み得る。
【００６６】
[0078]送信機７２０は、デバイス７０５の他の構成要素から受信された１つまたは複数の信号を送信し得る。送信機７２０は、同時送信に関係する様々なフレームまたはメッセージを送信し得る。いくつかの例では、送信機７２０は、トランシーバモジュール中で受信機７１０とコロケートされ得る。
【００６７】
[0079]図８は、様々な例による、ワイヤレス通信において使用するためのデバイス７０５−ａのブロック図８００を示す。デバイス７０５−ａは、図１〜図６を参照しながら説明された基地局１０５の１つまたは複数の態様の一例であり得る。デバイス７０５−ａはまた、図７を参照しながら説明されたデバイス７０５の一例であり得る。デバイス７０５−ａは、受信機７１０−ａ、ＬＢＴマネージャ７１５−ａ、および／または送信機７２０−ａを含み得、これらは、デバイス７０５の対応するモジュールの例であり得る。デバイス７０５−ａはプロセッサ（図示せず）をも含み得る。これらの構成要素の各々は互いに通信していることがある。ＬＢＴマネージャ７１５−ａは、ＣＣＡマネージャ８０５と、ヘッダマネージャ８１０と、アラインメントマネージャ８１５とを含み得る。受信機７１０−ａおよび送信機７２０−ａは、それぞれ、図７の受信機７１０および送信機７２０の機能を実行し得る。
【００６８】
[0080]ＣＣＡマネージャ８０５は、デバイス７０５−ａのためのＣＣＡプロシージャの態様をモニタし、制御し、それのための手段を提供し、または場合によっては管理し得る。ＣＣＡマネージャ８０５は、チャネル上で実行されるＣＣＡプロシージャに基づいて、サブフレーム中にチャネルが利用可能であると決定し得る。デバイス７０５−ａは、第１の事業者、たとえば、ＰＬＭＮ事業者に関連し得る。第１のチャネルは、同期ＬＴＥ−ＣＷ通信に関連し得る。
【００６９】
[0081]いくつかの態様では、ＣＣＡマネージャ８０５は、ＣＣＡプロシージャ中に第１のワイヤレスノードから送信された干渉するメッセージを検出し得る。ＣＣＡマネージャ８０５は、第３のワイヤレスノードが第１の事業者に関連すると決定し得る。ＣＣＡマネージャ８０５は、単独でまたはヘッダマネージャ８１０と協働して、第３のワイヤレスノードが第１の事業者に関連することに基づいて、第１のメッセージを送信し得る。ＣＣＡマネージャ８０５は、第３のワイヤレスノードが第１の事業者に関連すると決定するために、干渉するメッセージのヘッダ部分を復号し得る。ＣＣＡマネージャ８０５は、干渉するメッセージのヘッダ部分の復号の失敗を識別し、識別された失敗に基づいて、サブフレーム中に第１のメッセージを送信することを控え得る。
【００７０】
[0082]いくつかの態様では、ＣＣＡマネージャ８０５は、ＣＣＡプロシージャ中に第３のワイヤレスノードから送信された干渉するメッセージを検出し得る。ＣＣＡマネージャ８０５は、第３のワイヤレスノードが第１の事業者に関連しない、たとえば、第１の事業者と同じでないと決定し得る。ＣＣＡマネージャ８０５は、単独でまたはヘッダマネージャ８１０と協働して、第３のワイヤレスノードが第１の事業者に関連しないという決定に基づいて、第１のメッセージを送信することを控え得る。
【００７１】
[0083]ヘッダマネージャ８１０は、デバイス７０５−ａのためのヘッダ送信の態様をモニタし、制御し、それのための手段を提供し、または場合によっては得る。ヘッダマネージャ８１０は、サブフレーム中にチャネル上で第１のメッセージを送信し得る。第１のメッセージは、データ部分に先行するヘッダ部分を含み得る。ヘッダマネージャ８１０は、変調スキームに従って、サブフレーム中に送信される第１のメッセージをモジュール得る。第１のメッセージのヘッダ部分は第２のメッセージのヘッダ部分と同じであり得る。第１のメッセージのデータ部分は第２のメッセージのデータ部分中の情報とは異なり得る。第１のメッセージおよび第２のメッセージのヘッダ部分は、ＰＬＭＮ事業者に関連する事業者識別子フィールドを含み得る。
【００７２】
[0084]いくつかの態様では、チャネルは複数のサブバンドを含み得、第１のメッセージと第２のメッセージとは、複数のサブバンドの各サブバンドにわたって送信および同期され得る。第１のメッセージおよび／または第２のメッセージのヘッダ部分は、Ｗｉ−Ｆｉ固有情報とＷＷＡＮ固有情報とを含むＷｉ−Ｆｉプリアンブルを含み得る。Ｗｉ−Ｆｉ固有情報は、第１のワイヤレスノード、第２のワイヤレスノード、およびＷｉ−Ｆｉ構成されたワイヤレスノードによって復号可能であり得る。ＷＷＡＮ固有情報は、Ｗｉ−Ｆｉ構成されたワイヤレスノードによって復号不可能であり得る。
【００７３】
[0085]いくつかの態様では、ヘッダマネージャ８１０は、ＣＣＡプロシージャに続いて複数のサブフレーム中にチャネル上で追加のメッセージを送信し得る。各追加のメッセージは、サブフレーム中のヘッダ部分およびデータ部分を含み得る。ヘッダ部分は、各サブフレーム中で同じであり得る。いくつかの態様では、ヘッダマネージャ８１０は、メッセージを送信することより前に、チャネル上でＲＴＳ／ＣＴＳプロシージャを実行し得る。ヘッダマネージャ８１０は、第１のメッセージのヘッダ部分中にＣＴＳ−ｔｏ−ｓｅｌｆ（ＣＴＳ−Ｓ）フィールドを含め得る。
【００７４】
[0086]いくつかの態様では、ヘッダマネージャ８１０は、Ｗｉ−Ｆｉ構成されたプロトコルを使用して、無認可無線周波数スペクトル帯域上でパイロットトーンを送信し得る。ヘッダマネージャ８１０は、ＷＷＡＮ通信チャネルを介して、第１の事業者に関連するワイヤレスノードからチャネル状態報告を受信し得る。パイロットトーンは、第１のメッセージのヘッダ部分の後に送信され得、第１のメッセージのデータ部分に先行し得る。
【００７５】
[0087]アラインメントマネージャ８１５は、デバイス７０５−ａのためのサブフレームアラインメントの態様をモニタし、制御し、それのための手段を提供し、または場合によっては得る。アラインメントマネージャ８１５は、別のワイヤレスノード、たとえば、第１の事業者に関連する別のデバイス７０５−ａから送信された第１のメッセージを第２のメッセージと時間アラインし得る。第１のメッセージは、第２の事業者に関連するワイヤレスノードによって送信された第３のメッセージと同期されないことがある。第２の事業者は、第１の事業者とは異なり得る。
【００７６】
[0088]いくつかの態様では、アラインメントマネージャ８１５は、ＷＷＡＮ通信チャネルを介して無線フレーム情報を第２のワイヤレスノードと交換し得る。無線フレーム構成情報は、第１のメッセージと第２のメッセージとを時間アラインするために使用されるタイミング同期フィールドを含み得る。無線フレーム情報は、様々なＣＣＡパラメータ、たとえば、第１のワイヤレスノードにおけるＣＣＡプロシージャを第２のワイヤレスノードにおけるＣＣＡプロシージャと同期させるＣＣＡ構成フィールドを含み得る。
【００７７】
[0089]図９は、本開示の様々な態様による、ワイヤレス通信において使用するための基地局１０５−ｅ（たとえば、ｅＮＢの一部または全部を形成する基地局）のブロック図９００を示す。いくつかの例では、基地局１０５−ｅは、図１〜図６を参照しながら説明された基地局１０５のうちの１つまたは複数の態様、ならびに／あるいは図７および／または図８を参照しながら説明されたように、基地局として構成されたときのデバイス７０５のうちの１つまたは複数の態様の一例であり得る。基地局１０５−ｅは、図１〜図６を参照しながら説明された基地局および／または装置の特徴ならびに機能のうちの少なくともいくつかを実装するかまたは可能にするように構成され得る。
【００７８】
[0090]基地局１０５−ｅは、基地局プロセッサ９１０、基地局メモリ９２０、（（１つまたは複数の）基地局トランシーバ９５０によって表される）少なくとも１つの基地局トランシーバ、（（１つまたは複数の）基地局アンテナ９５５によって表される）少なくとも１つの基地局アンテナ、および／またはＬＢＴマネージャ７１５−ｂを含み得る。基地局１０５−ｅは、基地局通信マネージャ９３０および／またはネットワーク通信マネージャ９４０のうちの１つまたは複数をも含み得る。これらの構成要素の各々は、１つまたは複数のバス９３５上で、直接または間接的に、互いと通信していることがある。
【００７９】
[0091]基地局メモリ９２０は、ランダムアクセスメモリ（ＲＡＭ）および／または読取り専用メモリ（ＲＯＭ）を含み得る。基地局メモリ９２０は、実行されたとき、基地局プロセッサ９１０に、ワイヤレス通信に関係する本明細書で説明される様々な機能（たとえば、成功したＣＣＡプロシージャの後のチャネル上での同時送信など）を実行させるように構成された命令を含んでいるコンピュータ可読、コンピュータ実行可能ソフトウェア／ファームウェアコード９２５を記憶し得る。代替的に、コンピュータ可読、コンピュータ実行可能ソフトウェア／ファームウェアコード９２５は、基地局プロセッサ９１０によって直接的に実行可能でないことがあるが、（たとえば、コンパイルされ、実行されたとき）本明細書で説明される機能のうちのいくつかを基地局１０５−ｅに実行させるように構成され得る。
【００８０】
[0092]基地局プロセッサ９１０は、インテリジェントハードウェアデバイス、たとえば、中央処理ユニット（ＣＰＵ）、マイクロコントローラ、ＡＳＩＣなどを含み得る。基地局プロセッサ９１０は、（１つまたは複数の）基地局トランシーバ９５０、基地局通信マネージャ９３０、および／またはネットワーク通信マネージャ９４０を通して受信された情報を処理し得る。基地局プロセッサ９１０はまた、（１つまたは複数の）アンテナ９５５を通した送信のために（１つまたは複数の）トランシーバ９５０に送られるべき情報、１つまたは複数の他の基地局１０５−ｆおよび１０５−ｇへの送信のために基地局通信マネージャ９３０に送られるべき情報、ならびに／または図１を参照しながら説明されたコアネットワーク１３０の１つまたは複数の態様の一例であり得る、コアネットワーク９４５への送信のためにネットワーク通信マネージャ９４０に送られるべき情報を処理し得る。基地局プロセッサ９１０は、単独で、またはＬＢＴマネージャ７１５−ｂとともに、ＣＣＡプロシージャを使用して利用可能であると決定されたチャネル上でのサブフレーム中の同時送信の様々な態様を扱い得る。
【００８１】
[0093]（１つまたは複数の）基地局トランシーバ９５０は、パケットを変調し、変調されたパケットを送信のために（１つまたは複数の）基地局アンテナ９５５に与え、（１つまたは複数の）基地局アンテナ９５５から受信されたパケットを復調するように構成されたモデムを含み得る。（１つまたは複数の）基地局トランシーバ９５０は、いくつかの例では、１つまたは複数の基地局送信機構成要素および１つまたは複数の別個の基地局受信機構成要素として実装され得る。（１つまたは複数の）基地局トランシーバ９５０は、第１の無線周波数スペクトル帯域および／または第２の無線周波数スペクトル帯域における通信をサポートし得る。（１つまたは複数の）基地局トランシーバ９５０は、図１〜図６を参照しながら説明されたＵＥ１１５のうちの１つまたは複数など、１つまたは複数のＵＥまたは装置と、（１つまたは複数の）アンテナ９５５を介して双方向に通信するように構成され得る。基地局１０５−ｅは、たとえば、複数の基地局アンテナ９５５（たとえば、アンテナアレイ）を含み得る。基地局１０５−ｅは、ネットワーク通信マネージャ９４０を通してコアネットワーク９４５と通信し得る。基地局１０５−ｅはまた、基地局通信マネージャ９３０を使用して、基地局１０５−ｅおよび１０５−ｆなど、他の基地局と通信し得る。基地局１０５−ｆおよび／または１０５−ｇは、基地局１０５−ｅと同じ事業者に、または異なる事業者に関連し得る。
【００８２】
[0094]ＬＢＴマネージャ７１５−ｂは、ＬＴＥ−ＣＷチャネル中の同時送信に関して図１〜図６を参照しながら説明された特徴および／または機能の一部または全部を実行および／または制御するように構成され得る。いくつかの例では、ＬＢＴマネージャ７１５−ｂは、ＣＣＡプロシージャを使用してチャネルが利用可能であると決定し得、チャネル上でヘッダ部分およびデータ部分を含む第１のメッセージを送信する。第１のメッセージは、同じ事業者に関連する第２の基地局から送信された第２のメッセージと時間アラインされ、送信され得る。ＬＢＴマネージャ７１５−ｂ、またはＬＢＴマネージャ７１５−ｂの部分は、プロセッサを含み得、ならびに／あるいはＬＢＴマネージャ７１５−ｂの機能の一部または全部は、基地局プロセッサ９１０によっておよび／または基地局プロセッサ９１０とともに実行され得る。いくつかの例では、ＬＢＴマネージャ７１５−ｂは、図７および／または図８を参照しながら説明されたＬＢＴマネージャ７１５の一例であり得る。たとえば、ＬＢＴマネージャ７１５−ｂは、ＣＣＡマネージャ８０５−ａ、ヘッダマネージャ８１０−ａ、および／またはアラインメントマネージャ８１５−ａを含み得、それらは、それぞれ、図８を参照しながら説明されたＣＣＡマネージャ８０５、ヘッダマネージャ８１０、および／またはアラインメントマネージャ８１５の例であり、それらの機能を実行し得る。
【００８３】
[0095]図１０は、本開示の様々な態様による、ワイヤレス通信のための方法１０００の一例を示すフローチャートである。明快のために、方法１０００は、図１〜図６および図９を参照しながら説明された基地局１０５のうちの１つまたは複数の態様、あるいは図７および図８を参照しながら説明されたデバイスのうちの１つまたは複数の態様に関して以下で説明される。いくつかの例では、方法１０００は、基地局１０５など、ワイヤレスノードによって実行され得る。いくつかの例では、基地局が、以下で説明される機能を実行するように基地局の機能要素を制御するためのコードの１つまたは複数のセットを実行し得る。追加または代替として、基地局は、専用ハードウェアを使用して、以下で説明される機能のうちの１つまたは複数を実行し得る。
【００８４】
[0096]ブロック１００５において、方法１０００は、基地局が、チャネル上で実行されるＣＣＡプロシージャに少なくとも部分的に基づいて、チャネルが利用可能であると決定することを含み得る。基地局はワイヤレスノードに関連し得る。ブロック１００５における動作は、図８および／または図９を参照しながら説明されたＣＣＡマネージャ８０５を使用して実行され得る。
【００８５】
[0097]ブロック１０１０において、方法１０００は、基地局が、決定することに基づいて、サブフレーム中にチャネル上で第１のメッセージを送信することを含み得る。第１のメッセージは、第１の事業者に関連する第２のワイヤレスノード（たとえば、第２の基地局）から送信された第２のメッセージとサブフレーム中で時間アラインされ得る。第１のメッセージと第２のメッセージとは、データ部分に先行するヘッダ部分を含み得る。ブロック１０１０における動作は、図８および／または図９を参照しながら説明されたヘッダマネージャ８１０および／またはアラインメントマネージャ８１５を使用して実行され得る。
【００８６】
[0098]図１１は、本開示の様々な態様による、ワイヤレス通信のための方法１１００の一例を示すフローチャートである。明快のために、方法１１００は、図１〜図６および図９を参照しながら説明された基地局１０５のうちの１つまたは複数の態様、あるいは図７および図８を参照しながら説明されたデバイスのうちの１つまたは複数の態様に関して以下で説明される。いくつかの例では、方法１１００は、基地局１０５など、ワイヤレスノードによって実行され得る。いくつかの例では、基地局が、以下で説明される機能を実行するように基地局の機能要素を制御するためのコードの１つまたは複数のセットを実行し得る。追加または代替として、基地局は、専用ハードウェアを使用して、以下で説明される機能のうちの１つまたは複数を実行し得る。
【００８７】
[0099]ブロック１１０５において、方法１１００は、基地局が、チャネル上で実行されるＣＣＡプロシージャに少なくとも部分的に基づいて、チャネルが利用可能であると決定することを含み得る。基地局はワイヤレスノードに関連し得る。ブロック１１０５における動作は、図８および／または図９を参照しながら説明されたＣＣＡマネージャ８０５を使用して実行され得る。
【００８８】
[00100]ブロック１１１０において、方法１１００は、基地局がチャネル上でＲＴＳ／ＣＴＳプロシージャを実行することを含み得る。ブロック１１１０における動作は、図８および／または図９を参照しながら説明されたヘッダマネージャ８１０を使用して実行され得る。
【００８９】
[00101]ブロック１１１５において、方法１１００は、基地局が、決定することに基づいて、サブフレーム中にチャネル上で第１のメッセージを送信することを含み得る。第１のメッセージは、第１の事業者に関連する第２のワイヤレスノード（たとえば、第２の基地局）から送信された第２のメッセージとサブフレーム中で時間アラインされ得る。第１のメッセージと第２のメッセージとは、データ部分に先行するヘッダ部分を含み得る。ブロック１１１５における動作は、図８および／または図９を参照しながら説明されたヘッダマネージャ８１０および／またはアラインメントマネージャ８１５を使用して実行され得る。
【００９０】
[00102]図１２は、本開示の様々な態様による、ワイヤレス通信のための方法１２００の一例を示すフローチャートである。明快のために、方法１２００は、図１〜図６および図９を参照しながら説明された基地局１０５のうちの１つまたは複数の態様、あるいは図７および図８を参照しながら説明されたデバイスのうちの１つまたは複数の態様に関して以下で説明される。いくつかの例では、方法１２００は、基地局１０５など、ワイヤレスノードによって実行され得る。いくつかの例では、基地局が、以下で説明される機能を実行するように基地局の機能要素を制御するためのコードの１つまたは複数のセットを実行し得る。追加または代替として、基地局は、専用ハードウェアを使用して、以下で説明される機能のうちの１つまたは複数を実行し得る。
【００９１】
[00103]ブロック１２０５において、方法１２００は、基地局が、チャネル上で実行されるＣＣＡプロシージャに少なくとも部分的に基づいて、チャネルが利用可能であると決定することを含み得る。基地局はワイヤレスノードに関連し得る。ブロック１１０５における動作は、図８および／または図９を参照しながら説明されたＣＣＡマネージャ８０５を使用して実行され得る。
【００９２】
[00104]ブロック１２１０において、方法１２００は、基地局が、ＣＣＡプロシージャ中に第３のワイヤレスノードから送信された干渉するメッセージを検出することを含み得る。ブロック１２１０における動作は、図８および／または図９を参照しながら説明されたＣＣＡマネージャ８０５を使用して実行され得る。
【００９３】
[00105]ブロック１２１５において、方法１２００は、基地局が、第３のワイヤレスノードが第１の事業者に関連すると決定することを含み得る。ブロック１２１５における動作は、図８および／または図９を参照しながら説明されたＣＣＡマネージャ８０５および／またはヘッダマネージャ８１０を使用して実行され得る。
【００９４】
[00106]ブロック１２２０において、方法１２００は、基地局が、決定することに基づいて、サブフレーム中にチャネル上で第１のメッセージを送信することを含み得る。第１のメッセージは、第１の事業者に関連する第２のワイヤレスノード（たとえば、第２の基地局）から送信された第２のメッセージとサブフレーム中で時間アラインされ得る。第１のメッセージと第２のメッセージとは、データ部分に先行するヘッダ部分を含み得る。基地局は、さらに、第３のワイヤレスノードが第１の事業者に関連すると決定することに基づいて、第１のメッセージを送信し得る。ブロック１２２０における動作は、図８および／または図９を参照しながら説明されたヘッダマネージャ８１０および／またはアラインメントマネージャ８１５を使用して実行され得る。
【００９５】
[00107]いくつかの例では、方法１０００〜１２００のうちの２つまたはそれ以上からの態様が組み合わせられ得る。方法１０００などは例示的な実装形態にすぎないこと、および方法１０００〜１２００の動作は、他の実装形態が可能であるように、並べ替えられるかまたは場合によっては変更され得ることに留意されたい。
【００９６】
[00108]本明細書で説明された技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（ＷｉＦｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ＣＤＭＡ２０００およびＵＭＢは、「第３世代パートナーシッププロジェクト２」（３ＧＰＰ２）と称する団体からの文書に記載されている。本明細書で説明された技法は、無認可および／
または共有帯域幅を介したセルラー（たとえば、ＬＴＥ）通信を含む、上述のシステムおよび無線技術、ならびに他のシステムおよび無線技術のために使用され得る。ただし、上記の説明は、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【００９７】
[00109]添付の図面に関して上記に記載された詳細な説明は、例について説明しており、実装され得るまたは特許請求の範囲内に入る例のみを表すものではない。「例」および「例示的」という語は、この説明で使用されるとき、「例、事例、または例示の働きをすること」を意味し、「好ましい」または「他の例よりも有利な」を意味しない。詳細な説明は、説明された技法の理解を与えるための具体的な詳細を含む。ただし、これらの技法は、これらの具体的な詳細なしに実施され得る。いくつかの事例では、説明された例の概念を不明瞭にすることを回避するために、よく知られている構造および装置がブロック図の形式で示されている。
【００９８】
[00110]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００９９】
[00111]本明細書の開示に関して説明された様々な例示的なブロックおよび構成要素は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０１００】
[00112]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態は、本開示および添付の特許請求の範囲および趣旨内に入る。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０１０１】
[00113]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０１０２】
[00114]本開示についての以上の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
【図１】
2018527848.tif 000003
【図２】
2018527848.tif 000004
【図３】
2018527848.tif 000005
【図４】
2018527848.tif 000006
【図５】
2018527848.tif 000007
【図６】
2018527848.tif 000008
【図７】
2018527848.tif 000009
【図８】
2018527848.tif 000010
【図９】
2018527848.tif 000011
【図１０】
2018527848.tif 000012
【図１１】
2018527848.tif 000013
【図１２】
2018527848.tif 000014
【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１の事業者に関連する第１のワイヤレスノードにおいて、チャネル上でのクリアチャネルアセスメント（ＣＣＡ）プロシージャ中に、第２のワイヤレスノードから送信された干渉するメッセージを検出することと、
前記干渉するメッセージのヘッダ部分を復号することと、
前記復号されたヘッダ部分に少なくとも部分的に基づいて、前記第２のワイヤレスノードが前記第１の事業者に関連すると決定することと、
前記決定することに少なくとも部分的に基づいて、サブフレーム中に前記チャネル上で第１のメッセージを送信すること、前記第１のメッセージは、前記第２のワイヤレスノードから送信された第２のメッセージと前記サブフレーム中で時間アラインされ、前記第１のメッセージと前記第２のメッセージとは、それぞれのデータ部分に先行するそれぞれのヘッダ部分を備える、と
を備える、方法。
【請求項２】
前記第１のメッセージは、前記第１の事業者とは異なる第２の事業者に関連する第３のワイヤレスノードによって送信された第３のメッセージと同期されない、
請求項１に記載の方法。
【請求項３】
ワイヤレスワイドエリアネットワーク（ＷＷＡＮ）通信チャネルを介して、無線フレーム構成情報を前記第２のワイヤレスノードと交換することをさらに備え、前記無線フレーム構成情報は、前記第１のメッセージと前記第２のメッセージとを時間アラインするために使用されるタイミング同期フィールドを備える、
請求項１に記載の方法。
【請求項４】
前記無線フレーム構成情報は、ＣＣＡ構成フィールドをさらに備え、前記ＣＣＡ構成フィールドは、前記第１のワイヤレスノードにおける前記ＣＣＡプロシージャを前記第２のワイヤレスノードにおけるＣＣＡプロシージャと同期させる、
請求項３に記載の方法。
【請求項５】
変調スキームに従って、前記サブフレーム中に送信される前記第１のメッセージを変調することをさらに備える、
請求項１に記載の方法。
【請求項６】
前記第１のメッセージの前記ヘッダ部分は、前記第２のメッセージの前記ヘッダ部分と同じ情報を備える、
請求項１に記載の方法。
【請求項７】
前記第１のメッセージの前記データ部分は、前記第２のメッセージの前記データ部分とは異なる情報を備える、
請求項１に記載の方法。
【請求項８】
前記チャネルが複数のサブバンドを備え、前記第１のメッセージと前記第２のメッセージとが、前記複数のサブバンドの各サブバンドにわたって同期される、
請求項１に記載の方法。
【請求項９】
前記第１のメッセージおよび前記第２のメッセージの前記ヘッダ部分は、Ｗｉ−Ｆｉプリアンブルを備え、前記Ｗｉ−Ｆｉプリアンブルは、Ｗｉ−Ｆｉ固有情報とワイヤレスワイドエリアネットワーク（ＷＷＡＮ）固有情報とを備える、
請求項１に記載の方法。
【請求項１０】
前記Ｗｉ−Ｆｉ固有情報は、前記第１のワイヤレスノード、前記第２のワイヤレスノード、およびＷｉ−Ｆｉ構成されたワイヤレスノードによって復号可能である、
請求項９に記載の方法。
【請求項１１】
前記ＷＷＡＮ固有情報は、Ｗｉ−Ｆｉ構成されたワイヤレスノードによって復号不可能である、
請求項９に記載の方法。
【請求項１２】
前記ＣＣＡプロシージャに続いて複数のサブフレーム中に前記チャネルを介して追加のメッセージを送信することをさらに備え、各追加のメッセージは、前記ヘッダ部分およびそれぞれのデータ部分を備え、前記ヘッダ部分は、各サブフレーム中で同じである、
請求項１に記載の方法。
【請求項１３】
前記第１のメッセージを送信することより前に、前記チャネル上で送信要求／送信可（ＲＴＳ／ＣＴＳ）プロシージャを実行することをさらに備える、
請求項１に記載の方法。
【請求項１４】
前記第１のメッセージの前記ヘッダ部分中に自己への送信可（ＣＴＳ）フィールドを含めることをさらに備える、
請求項１に記載の方法。
【請求項１５】
Ｗｉ−Ｆｉ構成されたプロトコルを使用して、無認可無線周波数スペクトル帯域上でパイロットトーンを送信することと、
ワイヤレスワイドエリアネットワーク（ＷＷＡＮ）を介して、前記第１の事業者に関連するワイヤレスノードからチャネル状態報告を受信することと
をさらに備える、請求項１に記載の方法。
【請求項１６】
前記パイロットトーンは、前記第１のメッセージの前記ヘッダ部分の後に送信され、前記第１のメッセージの前記データ部分に先行する、
請求項１５に記載の方法。
【請求項１７】
第２のＣＣＡプロシージャ中に第２の干渉するメッセージを検出することと、
前記第２の干渉するメッセージのヘッダ部分の復号の際、失敗を識別することと、
前記識別された失敗に少なくとも部分的に基づいて、第２のサブフレーム中に第３のメッセージを送信することを控えること、前記控えることは、さらに、前記第２の干渉するメッセージに関連するエネルギーレベルがしきい値レベルを下回ることに少なくとも部分的に基づく、と
をさらに備える、請求項１に記載の方法。
【請求項１８】
第２のＣＣＡプロシージャ中に第３のワイヤレスノードから送信された第２の干渉するメッセージを検出することと、
前記第３のワイヤレスノードが前記第１の事業者に関連しないと決定することと、
前記第３のワイヤレスノードが前記第１の事業者に関連しないと決定することに少なくとも部分的に基づいて、第２のサブフレーム中に第３のメッセージを送信することを控えることと
をさらに備える、請求項１に記載の方法。
【請求項１９】
前記チャネルが同期ロングタームエボリューション制御Ｗｉ−Ｆｉ（ＬＴＥ−ＣＷ）通信に関連する、
請求項１に記載の方法。
【請求項２０】
前記第１のメッセージおよび前記第２のメッセージの前記ヘッダ部分は、パブリックランドモバイルネットワーク（ＰＬＭＮ）事業者に関連する事業者識別子フィールドを備える、
請求項１に記載の方法。
【請求項２１】
ワイヤレス通信のための装置であって、
第１の事業者に関連する第１のワイヤレスノードにおいて、チャネル上でのクリアチャネルアセスメント（ＣＣＡ）プロシージャ中に、第２のワイヤレスノードから送信された干渉するメッセージを検出するための手段と、
前記干渉するメッセージのヘッダ部分を復号するための手段と、
前記復号されたヘッダ部分に少なくとも部分的に基づいて、前記第２のワイヤレスノードが前記第１の事業者に関連すると決定するための手段と、
前記決定することに少なくとも部分的に基づいて、サブフレーム中に前記チャネル上で第１のメッセージを送信するための手段、前記第１のメッセージは、前前記第２のワイヤレスノードから送信された第２のメッセージと前記サブフレーム中で時間アラインされ、前記第１のメッセージと前記第２のメッセージとは、それぞれのデータ部分に先行するそれぞれのヘッダ部分を備える、と
を備える、装置。
【請求項２２】
前記第１のメッセージは、前記第１の事業者とは異なる第２の事業者に関連する第３のワイヤレスノードによって送信された第３のメッセージと同期されない、
請求項２１に記載の装置。
【請求項２３】
ワイヤレスワイドエリアネットワーク（ＷＷＡＮ）通信チャネルを介して、無線フレーム構成情報を前記第２のワイヤレスノードと交換するための手段をさらに備え、前記無線フレーム構成情報は、前記第１のメッセージと前記第２のメッセージとを時間アラインするために使用されるタイミング同期フィールドを備える、
請求項２１に記載の装置。
【請求項２４】
前記無線フレーム構成情報は、ＣＣＡ構成フィールドをさらに備え、前記ＣＣＡ構成フィールドは、前記第１のワイヤレスノードにおける前記ＣＣＡプロシージャを前記第２のワイヤレスノードにおけるＣＣＡプロシージャと同期させる、
請求項２３に記載の装置。
【請求項２５】
変調スキームに従って、前記サブフレーム中に送信される前記第１のメッセージを変調するための手段をさらに備える、
請求項２１に記載の装置。
【請求項２６】
前記第１のメッセージの前記ヘッダ部分は、前記第２のメッセージの前記ヘッダ部分と同じ情報を備える、
請求項２１に記載の装置。
【請求項２７】
ワイヤレス通信のための装置であって、
プロセッサと、
前記プロセッサと電子通信しているメモリと、
前記メモリに記憶された命令と
を備え、前記命令は、
第１の事業者に関連する第１のワイヤレスノードにおいて、チャネル上でのクリアチャネルアセスメント（ＣＣＡ）プロシージャ中に、第２のワイヤレスノードから送信された干渉するメッセージを検出することと、
前記干渉するメッセージのヘッダ部分を復号することと、
前記復号されたヘッダ部分に少なくとも部分的に基づいて、前記第２のワイヤレスノードが前記第１の事業者に関連すると決定することと、
前記決定することに少なくとも部分的に基づいて、サブフレーム中に前記チャネル上で第１のメッセージを送信すること、前記第１のメッセージは、前記第２のワイヤレスノードから送信された第２のメッセージと前記サブフレーム中で時間アラインされ、前記第１のメッセージと前記第２のメッセージとは、それぞれのデータ部分に先行するそれぞれのヘッダ部分を備える、と
を行うために前記プロセッサによって実行可能である、装置。
【請求項２８】
ワイヤレス通信のためのコンピュータ実行可能コードを記憶する非一時的コンピュータ可読媒体であって、前記コードは、
第１の事業者に関連する第１のワイヤレスノードにおいて、チャネル上でのクリアチャネルアセスメント（ＣＣＡ）プロシージャ中に、第２のワイヤレスノードから送信された干渉するメッセージを検出することと、
前記干渉するメッセージのヘッダ部分を復号することと、
前記復号されたヘッダ部分に少なくとも部分的に基づいて、前記第２のワイヤレスノードが前記第１の事業者に関連すると決定することと、
前記決定することに少なくとも部分的に基づいて、サブフレーム中に前記チャネル上で第１のメッセージを送信すること、前記第１のメッセージは、前記第２のワイヤレスノードから送信された第２のメッセージと前記サブフレーム中で時間アラインされ、前記第１のメッセージと前記第２のメッセージとは、それぞれのデータ部分に先行するそれぞれのヘッダ部分を備える、と
を行うためにプロセッサによって実行可能である、非一時的コンピュータ可読媒体。
【手続補正２】
【補正対象書類名】明細書
【補正対象項目名】０１０２
【補正方法】変更
【補正の内容】
【０１０２】
[00114]本開示についての以上の説明は、当業者が本開示を作成または使用することができるように与えられた。本開示への様々な変更は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に、本願出願の当初の特許請求の範囲に記載された発明を付記する。
［Ｃ１］
ワイヤレス通信のための方法であって、
第１のワイヤレスノードにおいて、チャネル上で実行されるクリアチャネルアセスメント（ＣＣＡ）プロシージャに少なくとも部分的に基づいて、前記チャネルが利用可能であると決定すること、前記第１のワイヤレスノードは、第１の事業者に関連する、と、
前記決定することに少なくとも部分的に基づいて、サブフレーム中に前記チャネル上で第１のメッセージを送信すること、前記第１のメッセージは、前記第１の事業者に関連する第２のワイヤレスノードから送信された第２のメッセージと前記サブフレーム中で時間アラインされ、前記第１のメッセージと前記第２のメッセージとは、データ部分に先行するヘッダ部分を備える、と
を備える、方法。
［Ｃ２］
前記第１のメッセージは、前記第１の事業者とは異なる第２の事業者に関連する第３のワイヤレスノードによって送信された第３のメッセージと同期されない、
［Ｃ１］に記載の方法。
［Ｃ３］
ワイヤレスワイドエリアネットワーク（ＷＷＡＮ）通信チャネルを介して、無線フレーム構成情報を前記第２のワイヤレスノードと交換することをさらに備え、前記無線フレーム構成情報は、前記第１のメッセージと前記第２のメッセージとを時間アラインするために使用されるタイミング同期フィールドを備える、
［Ｃ１］に記載の方法。
［Ｃ４］
前記無線フレーム構成情報は、ＣＣＡ構成フィールドをさらに備え、前記ＣＣＡ構成フィールドは、前記第１のワイヤレスノードにおける前記ＣＣＡプロシージャを前記第２のワイヤレスノードにおけるＣＣＡプロシージャと同期させる、
［Ｃ３］に記載の方法。
［Ｃ５］
変調スキームに従って、前記サブフレーム中に送信される前記第１のメッセージを変調することをさらに備える、
［Ｃ１］に記載の方法。
［Ｃ６］
前記第１のメッセージの前記ヘッダ部分は、前記第２のメッセージの前記ヘッダ部分と同じ情報を備える、
［Ｃ１］に記載の方法。
［Ｃ７］
前記第１のメッセージの前記データ部分は、前記第２のメッセージの前記データ部分とは異なる情報を備える、
［Ｃ１］に記載の方法。
［Ｃ８］
前記チャネルが複数のサブバンドを備え、前記第１のメッセージと前記第２のメッセージとが、前記複数のサブバンドの各サブバンドにわたって同期される、
［Ｃ１］に記載の方法。
［Ｃ９］
前記第１のメッセージおよび前記第２のメッセージの前記ヘッダ部分は、Ｗｉ−Ｆｉプリアンブルを備え、前記Ｗｉ−Ｆｉプリアンブルは、Ｗｉ−Ｆｉ固有情報とワイヤレスワイドエリアネットワーク（ＷＷＡＮ）固有情報とを備える、
［Ｃ１］に記載の方法。
［Ｃ１０］
前記Ｗｉ−Ｆｉ固有情報は、前記第１のワイヤレスノード、前記第２のワイヤレスノード、およびＷｉ−Ｆｉ構成されたワイヤレスノードによって復号可能である、
［Ｃ９］に記載の方法。
［Ｃ１１］
前記ＷＷＡＮ固有情報は、Ｗｉ−Ｆｉ構成されたワイヤレスノードによって復号不可能である、
［Ｃ９］に記載の方法。
［Ｃ１２］
前記ＣＣＡプロシージャに続いて複数のサブフレーム中に前記チャネルを介して追加のメッセージを送信することをさらに備え、各追加のメッセージは、前記サブフレーム中の前記ヘッダ部分および前記データ部分を備え、前記ヘッダ部分は、各サブフレーム中で同じである、
［Ｃ１］に記載の方法。
［Ｃ１３］
前記第１のメッセージを送信することより前に、前記チャネル上で送信要求／送信可（ＲＴＳ／ＣＴＳ）プロシージャを実行することをさらに備える、
［Ｃ１］に記載の方法。
［Ｃ１４］
前記第１のメッセージの前記ヘッダ部分中に自己への送信可（ＣＴＳ）フィールドを含めることをさらに備える、
［Ｃ１］に記載の方法。
［Ｃ１５］
Ｗｉ−Ｆｉ構成されたプロトコルを使用して、無認可無線周波数スペクトル帯域上でパイロットトーンを送信することと、
ワイヤレスワイドエリアネットワーク（ＷＷＡＮ）を介して、前記第１の事業者に関連するワイヤレスノードからチャネル状態報告を受信することと
をさらに備える、［Ｃ１］に記載の方法。
［Ｃ１６］
前記パイロットトーンは、前記第１のメッセージの前記ヘッダ部分の後に送信され、前記第１のメッセージの前記データ部分に先行する、
［Ｃ１５］に記載の方法。
［Ｃ１７］
前記ＣＣＡプロシージャ中に第３のワイヤレスノードから送信された干渉するメッセージを検出することと、
前記第３のワイヤレスノードが前記第１の事業者に関連すると決定することと、
前記第３のワイヤレスノードが前記第１の事業者に関連すると決定することに少なくとも部分的に基づいて、前記第１のメッセージを送信することと
をさらに備える、［Ｃ１］に記載の方法。
［Ｃ１８］
前記第３のワイヤレスノードが前記第１の事業者に関連すると決定することは、
前記干渉するメッセージのヘッダ部分を復号することを備える、
［Ｃ１７］に記載の方法。
［Ｃ１９］
前記干渉するメッセージの前記ヘッダ部分の前記復号の失敗を識別することと、
前記識別された失敗に少なくとも部分的に基づいて、前記サブフレーム中に前記第１のメッセージを送信することを控えること、前記控えることは、さらに、前記干渉するメッセージに関連するエネルギーレベルがしきい値レベルを下回ることに少なくとも部分的に基づく、と
をさらに備える、［Ｃ１８］に記載の方法。
［Ｃ２０］
前記ＣＣＡプロシージャ中に第３のワイヤレスノードから送信された干渉するメッセージを検出することと、
前記第３のワイヤレスノードが前記第１の事業者に関連しないと決定することと、
前記第３のワイヤレスノードが前記第１の事業者に関連しないと決定することに少なくとも部分的に基づいて、前記第１のメッセージを送信することを控えることと
をさらに備える、［Ｃ１］に記載の方法。
［Ｃ２１］
前記チャネルが同期ロングタームエボリューション制御Ｗｉ−Ｆｉ（ＬＴＥ−ＣＷ）通信に関連する、
［Ｃ１］に記載の方法。
［Ｃ２２］
前記第１のメッセージおよび前記第２のメッセージの前記ヘッダ部分は、パブリックランドモバイルネットワーク（ＰＬＭＮ）事業者に関連する事業者識別子フィールドを備える、
［Ｃ１］に記載の方法。
［Ｃ２３］
ワイヤレス通信のための装置であって、
第１のワイヤレスノードにおいて、チャネル上で実行されるクリアチャネルアセスメント（ＣＣＡ）プロシージャに少なくとも部分的に基づいて、前記チャネルが利用可能であると決定するための手段、前記第１のワイヤレスノードは、第１の事業者に関連する、と、
前記決定することに少なくとも部分的に基づいて、サブフレーム中に前記チャネル上で第１のメッセージを送信するための手段、前記第１のメッセージは、前記第１の事業者に関連する第２のワイヤレスノードから送信された第２のメッセージと前記サブフレーム中で時間アラインされ、前記第１のメッセージと前記第２のメッセージとは、データ部分に先行するヘッダ部分を備える、と
を備える、装置。
［Ｃ２４］
前記第１のメッセージは、前記第１の事業者とは異なる第２の事業者に関連する第３のワイヤレスノードによって送信された第３のメッセージと同期されない、
［Ｃ２３］に記載の装置。
［Ｃ２５］
ワイヤレスワイドエリアネットワーク（ＷＷＡＮ）通信チャネルを介して、無線フレーム構成情報を前記第２のワイヤレスノードと交換するための手段をさらに備え、前記無線フレーム構成情報は、前記第１のメッセージと前記第２のメッセージとを時間アラインするために使用されるタイミング同期フィールドを備える、
［Ｃ２３］に記載の装置。
［Ｃ２６］
前記無線フレーム構成情報は、ＣＣＡ構成フィールドをさらに備え、前記ＣＣＡ構成フィールドは、前記第１のワイヤレスノードにおける前記ＣＣＡプロシージャを前記第２のワイヤレスノードにおけるＣＣＡプロシージャと同期させる、
［Ｃ２５］に記載の装置。
［Ｃ２７］
変調スキームに従って、前記サブフレーム中に送信される前記第１のメッセージを変調するための手段をさらに備える、
［Ｃ２３］に記載の装置。
［Ｃ２８］
前記第１のメッセージの前記ヘッダ部分は、前記第２のメッセージの前記ヘッダ部分と同じ情報を備える、
［Ｃ２３］に記載の装置。
［Ｃ２９］
ワイヤレス通信のための装置であって、
プロセッサと、
前記プロセッサと電子通信しているメモリと、
前記メモリに記憶された命令と
を備え、前記命令は、
第１のワイヤレスノードにおいて、チャネル上で実行されるクリアチャネルアセスメント（ＣＣＡ）プロシージャに少なくとも部分的に基づいて、前記チャネルが利用可能であると決定すること、前記第１のワイヤレスノードは、第１の事業者に関連する、と、
前記決定することに少なくとも部分的に基づいて、サブフレーム中に前記チャネル上で第１のメッセージを送信すること、前記第１のメッセージは、前記第１の事業者に関連する第２のワイヤレスノードから送信された第２のメッセージと前記サブフレーム中で時間アラインされ、前記第１のメッセージと前記第２のメッセージとは、データ部分に先行するヘッダ部分を備える、と
を行うために前記プロセッサによって実行可能である、装置。
［Ｃ３０］
ワイヤレス通信のためのコンピュータ実行可能コードを記憶する非一時的コンピュータ可読媒体であって、前記コードは、
第１のワイヤレスノードにおいて、チャネル上で実行されるクリアチャネルアセスメント（ＣＣＡ）プロシージャに少なくとも部分的に基づいて、前記チャネルが利用可能であると決定すること、前記第１のワイヤレスノードは、第１の事業者に関連する、と、
前記決定することに少なくとも部分的に基づいて、サブフレーム中に前記チャネル上で第１のメッセージを送信すること、前記第１のメッセージは、前記第１の事業者に関連する第２のワイヤレスノードから送信された第２のメッセージと前記サブフレーム中で時間アラインされ、前記第１のメッセージと前記第２のメッセージとは、データ部分に先行するヘッダ部分を備える、と
を行うためにプロセッサによって実行可能である、非一時的コンピュータ可読媒体。
【国際調査報告】
2018527848.tif 000015
2018527848.tif 000016
2018527848.tif 000017
2018527848.tif 000018